(57)【要約】【課題】予め情報端末に登録された情報を利用して、ユーザーに驚きや嬉しさ、喜びを与える。【解決手段】情報を表示する表示部と、現在時刻を取得する時刻取得表示手段と、ユーザーに関係する数字に変換可能な登録情報を保存する記憶部と、登録情報から変換した数字を用いて記念日時刻を生成する日付時間変更手段と、記念日時刻と現在時刻とが一致するかを判定する記念日時刻判定手段と、判定が一致するとの結果である時に、予め定められた記念日時刻表示を表示部へ表示する記念日時刻表示手段とを備える。【選択図】図１
2009276312.tif 000002
【特許請求の範囲】
【請求項１】
情報を表示する表示部と、
現在時刻を取得する時刻取得表示手段と、
ユーザーに関係する数字に変換可能な登録情報を保存する記憶部と、
前記登録情報から変換した数字を用いて記念日時刻を生成する日付時間変更手段と、
前記記念日時刻と前記現在時刻とが一致するかを判定する記念日時刻判定手段と、
前記判定が一致するとの結果である時に、予め定められた記念日時刻表示を前記表示部へ表示する記念日時刻表示手段と
を備える情報表示端末。
【請求項２】
請求項１に記載の情報表示端末であって、
前記登録情報が、日付情報である
情報表示端末。
【請求項３】
請求項２に記載の情報表示端末であって、
前記日付時間変換手段は、前記日付情報が「ＭＭ−ＤＤ（ＭＭは１月から１２月に対応し、ＤＤは１日から３１日に対応する。）」として、前記記念日時刻を「ｈｈ：ｍｍ（ｈｈは０から１２あるいは０から２３に対応し、ｍｍは０から５９に対応する。）」とすると、ＭＭをｈｈへ代入して置き換え、かつ、ＤＤをｍｍへ代入して置き換えて前記記念日時刻として生成する
情報表示端末。
【請求項４】
請求項２または請求項３に記載の情報表示端末であって、
前記日付情報は、ユーザーの誕生日情報、ユーザーによって指定された人間の誕生日情報、予め登録された記念日情報のいずれかである
情報表示端末。
【請求項５】
請求項１に記載の情報表示端末であって、
前記登録情報は、ユーザーの氏名情報である
情報表示端末。
【請求項６】
請求項１から請求項５までのいずれかに記載の情報表示端末であって、
前記記念日時刻表示手段は、前記現在時刻の反転表示、デコレーション、アニメーション、ポップアップのうちのいずれかを用いた表示、あるいは、これらの組合せによって前記記念日時刻表示を行う
情報表示端末。
【請求項７】
現在時刻を取得するステップと、
ユーザーに関係する数字に変換可能な登録情報を保存するステップと、
前記登録情報から変換した数字を用いて記念日時刻を生成するステップと、
前記記念日時刻と前記現在時刻とが一致するかを判定するステップと、
前記判定が一致する結果である時に、予め定められた記念日時刻表示を表示するステップと
を備える情報表示方法。
【請求項８】
請求項７に記載の情報表示方法であって、
前記登録情報が、日付情報である
情報表示方法。
【請求項９】
請求項８に記載の情報表示方法であって、記念日時刻を生成するステップは、
前記日付情報が「ＭＭ−ＤＤ（ＭＭは１月から１２月に対応し、ＤＤは１日から３１日に対応する。）」として、前記記念日時刻を「ｈｈ：ｍｍ（ｈｈは０から１２あるいは０から２３に対応し、ｍｍは０から５９に対応する。）」とすると、ＭＭをｈｈへ代入して置き換え、かつ、ＤＤをｍｍへ代入して置き換えて前記記念日時刻として生成するステップ
を含む情報表示方法。
【請求項１０】
請求項８または請求項９に記載の情報表示方法であって、
前記日付情報は、ユーザーの誕生日情報、ユーザーによって指定された人間の誕生日情報、予め登録された記念日情報のいずれかである
情報表示方法。
【請求項１１】
請求項７に記載の情報表示方法であって、
前記登録情報は、ユーザーの氏名情報である
情報表示方法。
【請求項１２】
請求項７から請求項１１までのいずれかに記載の情報表示方法であって、前記記念日時刻表示を表示するステップは、
前記現在時刻の反転表示、デコレーション、アニメーション、ポップアップのうちのいずれかを用いた表示、あるいは、これらの組合せによって前記記念日時刻表示を行うステップを含む
情報表示方法。
【請求項１３】
現在時刻を取得するステップと、
ユーザーに関係する数字に変換可能な登録情報を保存するステップと、
前記登録情報から変換した数字を用いて記念日時刻を生成するステップと、
前記記念日時刻と前記現在時刻とが一致するかを判定するステップと、
前記判定が一致する結果である時に、予め定められた記念日時刻表示を表示するステップと
を備える情報表示プログラム。
【請求項１４】
請求項１３に記載の情報表示プログラムであって、
前記登録情報が、日付情報である
情報表示プログラム。
【請求項１５】
請求項１４に記載の情報表示プログラムであって、記念日時刻を生成するステップは、
前記日付情報が「ＭＭ−ＤＤ（ＭＭは１月から１２月に対応し、ＤＤは１日から３１日に対応する。）」として、前記記念日時刻を「ｈｈ：ｍｍ（ｈｈは０から１２あるいは０から２３に対応し、ｍｍは０から５９に対応する。）」とすると、ＭＭをｈｈへ代入して置き換え、かつ、ＤＤをｍｍへ代入して置き換えて前記記念日時刻として生成するステップ
を含む情報表示プログラム。
【請求項１６】
請求項１４または請求項１５に記載の情報表示プログラムであって、
前記日付情報は、ユーザーの誕生日情報、ユーザーによって指定された人間の誕生日情報、予め登録された記念日情報のいずれかである
情報表示プログラム。
【請求項１７】
請求項１３に記載の情報表示プログラムであって、
前記登録情報は、ユーザーの氏名情報である
情報表示プログラム。
【請求項１８】
請求項１３から請求項１７までのいずれかに記載の情報表示プログラムであって、前記記念日時刻表示を表示するステップは、
前記現在時刻の反転表示、デコレーション、アニメーション、ポップアップのうちのいずれかを用いた表示、あるいは、これらの組合せによって前記記念日時刻表示を行うステップを含む
情報表示プログラム。
【発明の詳細な説明】
【技術分野】
【０００１】
本発明は、情報表示端末に関し、特に時刻表示機能を有する情報表示端末に関する。
【背景技術】
【０００２】
近年、ＰＤＡ（Ｐｅｒｓｏｎａｌ  Ｄａｔａ  Ａｓｓｉｓｔａｎｃｅ）や携帯電話機といった情報端末が広く普及している。ユーザーは、情報端末の普及に伴い、単に情報を取得するための道具としてだけでなく、より個人的な道具として情報端末を利用するようになってきている。例えば、ユーザーは、携帯電話機の外装に様々な装飾を施したり、あるいは、好みの画像を待ち受け画面に使用するなどする。これらは、ユーザーが個人の情報端末を、個人の好みにカスタマイズしたいという欲求を表していると考えられる。情報端末を用いた個人的な情報を管理する関連技術として以下のような技術が開示されている。
【０００３】
特許文献１は、電話帳データに通信相手の特定の記念日や誕生日等の日付情報を予め登録できる携帯端末装置に関し、複数の異なる通信相手の日付情報の一覧を分かり易く表示する携帯端末装置を開示している。特許文献１の携帯端末装置は、時計機能を備えると共に、通信相手の電話番号等からなる電話帳データを登録し、その電話帳データを自在に呼び出して発信することが可能な電話帳データ登録機能を備える通信端末装置であって、電話帳データ中の所定の通信相手に関する日付情報を付加し、日付情報が現在の日付に一致又は予め設定された期間内に日付情報が存在する場合に、該当する通信相手に対する日付情報に関する表示を行う報知情報部を備えることを特徴とする。
【０００４】
特許文献１では、ユーザーが予め登録した誕生日や記念日のような日付情報と、実際の日付が一致する場合や日付が近づいてきた場合に通知を行う。このようにすることで、ユーザーは、登録した日付情報を忘れずに検知することが可能となる。
【特許文献１】特開２００４−０３２０５６号公報
【発明の開示】
【発明が解決しようとする課題】
【０００５】
本発明の目的は、予め情報端末に登録された情報を利用して、ユーザーに驚きや嬉しさ、喜びを与えることを目的としている。
【課題を解決するための手段】
【０００６】
本発明の情報表示端末は、情報を表示する表示部と、現在時刻を取得する時刻取得表示手段と、ユーザーに関係する数字に変換可能な登録情報を保存する記憶部と、登録情報から変換した数字を用いて記念日時刻を生成する日付時間変更手段と、記念日時刻と現在時刻とが一致するかを判定する記念日時刻判定手段と、判定が一致するとの結果である時に、予め定められた記念日時刻表示を表示部へ表示する記念日時刻表示手段とを備える。
【０００７】
本発明の情報表示方法は、現在時刻を取得するステップと、ユーザーに関係する数字に変換可能な登録情報を保存するステップと、登録情報から変換した数字を用いて記念日時刻を生成するステップと、記念日時刻と現在時刻とが一致するかを判定するステップと、判定が一致する結果である時に、予め定められた記念日時刻表示を表示するステップとを備える。
【０００８】
本発明の情報表示プログラムは、現在時刻を取得するステップと、ユーザーに関係する数字に変換可能な登録情報を保存するステップと、登録情報から変換した数字を用いて記念日時刻を生成するステップと、記念日時刻と現在時刻とが一致するかを判定するステップと、判定が一致する結果である時に、予め定められた記念日時刻表示を表示するステップとを備える。
【発明の効果】
【０００９】
本発明によれば、予め情報端末に登録された情報を利用して、ユーザーに驚きや嬉しさ、喜びを与えることが可能となる。
【発明を実施するための最良の形態】
【００１０】
添付図面を参照して、本発明の実施形態による情報表示端末を以下に説明する。
【００１１】
［構成の説明］
はじめに、本実施形態における情報表示端末１の構成の説明を行う。図１は、本実施形態における情報表示端末１の構成を示している。本実施形態における情報表示端末１は、制御部１０と、表示部２０と、無線部３０、音声入出力部４０、ＲＴＣ（Ｒｅａｌ  Ｔｉｍｅ  Ｃｌｏｃｋ）部５０、キー操作部６０と、記憶部７０とを備える。
【００１２】
制御部１０は、ＣＰＵ（Ｃｅｎｔｒａｌ  Ｐｒｏｃｅｓｓｉｎｇ  Ｕｎｉｔ）等で構成される。制御部１０は、記憶部７０に記憶されている処理用プログラムを読み込み実行することによって、情報表示端末１の機能を実現する。
【００１３】
表示部２０は、ＬＣＤ（Ｌｉｑｕｉｄ  Ｃｒｙｓｔａｌ  Ｄｉｓｐｌａｙ）等で構成される。表示部２０は、制御部１０から出力される画像やデータを表示する。
【００１４】
無線部３０は、無線通信の送受信用のアンテナや、無線通信の送受信部等で構成される。無線部３０は、無線電波を使用してデータの送受信を行う。なお、情報表示端末１が無線通信機能を有しない場合、情報表示端末１は、無線部３０を備えない場合がある。
【００１５】
音声入出力部４０は、スピーカやマイク等で構成される。音声入出力部４０は、マイクで音声等を入力し、スピーカーから音声を出力する。なお、情報表示端末１が音声通話機能等を有しない場合などには、情報表示端末１は、音声入出力部４０を備えない場合がある。
【００１６】
ＲＴＣ部５０は、計時用のＩＣ（Ｉｎｔｅｒｇｒａｔｅｄ  Ｃｉｒｃｕｉｔ）等で構成される。ＲＴＣ部５０は、表示部２０へ表示を行うための日時情報を管理する。
【００１７】
キー操作部６０は、数字や文字を入力するためのボタン等で構成される。ユーザーは、キー操作部６０から情報表示端末へ入力を行う。
【００１８】
記憶部７０は、ＲＯＭ（Ｒｅａｄ  Ｏｎｌｙ  Ｍｅｍｏｒｙ）８０とＲＡＭ（Ｒｏｎｄｏｍ  Ａｃｅｅｓｓ  Ｍｅｍｏｒｙ）９０を備える。また、記憶部７０は、図示されないハードディスク等の他の記憶装置を備える場合がある。
記憶部７０は、予めユーザーによって登録された登録情報を保存している。登録情報には、所有者情報１０３や、電話帳データ、スケジューラ等が含まれる。記憶部７０は、その他、電子メールデータやファイルデータや画像データ等のデータを保存している場合がある。
【００１９】
ＲＯＭ８０は、情報表示端末１の機能を実現するために必要な処理用プログラムやデータ等を記憶している。ＲＯＭ８０は、時刻取得表示手段８１と、日付時刻変換手段８２と、記念日時刻判定手段８３と、記念日時刻表示手段８４とを備える。これらの各手段は、処理用プログラムであり、他の処理用プログラムと同様にＲＯＭ８０へ保存され、制御部１０によって実行されることで、その機能を実現する。
【００２０】
時刻取得表示手段８１は、ＲＴＣ部５０から日時情報を取得し、表示部２０へ日付や時刻の表示を行う。時刻取得表示手段８１は、ＲＴＣ部から周期的な割込みを受付て、日時情報を取得する。
【００２１】
日付時刻変換手段８２は、記念日時刻１１４を生成する。記念日時刻１１４は、記憶部７０に記憶された登録情報から、予め定められた変換ルールによって生成される特定の時刻である。本実施形態において、日付時刻変換手段８２は、予め登録されたユーザーの誕生日情報１０７に基づいて、記念日時刻１１４を生成する。日付時刻変換手段８２は、記憶部７０から誕生日情報１０７を取得して、変換ルールに基づいて日付情報を時刻情報へ変換する処理（以下、日付時刻変換処理）を行い、記念日時刻１１４を生成する。日付時刻変換手段８２は、記念日時刻１１４を記憶部７０へ保存する。日付時刻表示手段８１の行う日付時刻変換処理は、後に詳述する。
【００２２】
記念日時刻判定手段８３は、現在時刻情報１０２と記念日時刻１１４を比較して、現在時刻情報１０２と記念日時刻１１４が一致するかの判定（以下、一致判定）を行う。記念日時刻判定手段８３は、時刻取得表示手段８１から現在の時刻を示す現在時刻情報１０２を取得し、記憶部７０から記念日時刻１１４を取得して、一致判定を行う。記念日時刻判定手段８３は、現在時刻情報１０２と記念日時刻１１４とが一致する場合には、記念日時刻表示手段８４へ、現在時刻情報１０２と記念日時刻１１４とが一致する旨の通知（以下、一致通知）を通知する。一方、記念日時刻表示手段８４は、現在時刻情報１０２と記念日時刻１１４とが一致しない場合には、記念日時刻表示手段８４へ一致通知を通知しない。この場合、記念日時刻判定手段８３は、再度、定められたタイミングで、一致判定処理を行う。記念日時刻判定手段８３は、予め定められたタイミングで一致判定処理を行う。本実施形態において、記念日時刻判定手段８３は、ＲＴＣ部５０が行う周期的な割込みを検知すると、一致判定処理を行う。なお、記念日時刻判定手段８３が、判定を行うタイミングはこれに限定しない。
【００２３】
記念日時刻表示手段８４は、表示部２０に記念日時刻表示１１５を行う。記念日時刻表示１１５は、表示部２０おいて、通常の時刻表示とは異なる時刻表示である。具体的な記念日時刻表示１１５については、後に詳述する。記念日時刻表示手段８４は、記念日時刻判定手段８３からの一致通知に基づいて、記念日時刻表示１１５を行う。ユーザーは、表示部２０に表示される記念日時刻表示１１５を確認することで、現在時刻情報１０２が記念日時刻１１４と一致していることを知ることができる。本実施形態において、記念日時刻１１４は、ユーザーの誕生日情報に基づいて生成される。そのため、ユーザーは、現在時刻として表示される数字と、本人の誕生日が一致していることを知ることによって、驚きや嬉しさ、喜びを得ることができる。
【００２４】
ＲＡＭ９０は、制御部１０が情報表示端末１の機能を実現するためにＲＯＭ８０へ記憶された処理用プログラムを実行する際、一時的に処理用プログラムやデータを記憶するために用いられる。
【００２５】
ここで、図２から図７を用いて、本実施形態における、情報表示端末１の時刻取得表示手段８１、日付時刻変換手段８２、記念日時刻判定手段８３、および記念日時刻表示手段８４の処理の説明を行う。
【００２６】
まず、図２は、本実施形態の情報表示端末１において、表示部２０に待機画面１００が表示された状態を示している。図２において、表示部２０は、待機画面１００を表示している。表示部２０は、待機画面１００に、現在日付情報１０１や、現在時刻情報１０２を表示している。これらの表示は、制御部１０がＲＯＭ８０の時刻取得表示手段８１を読み込んで実行することによって実現されている。時刻表示手段８１は、ＲＴＣ部５０から取得する日時情報に基づいて、現在日付情報１０１や現在時刻情報１０２を表示部２０へ表示する。
【００２７】
次に、図３は、本実施形態の情報表示端末１において、表示部２０に所有者情報（以下、プロフィール）１０３が表示された状態を示している。プロフィール１０３は、所有者の氏名情報１０４や、電話番号情報１０５、メールアドレス情報１０６、誕生日情報１０７を含んでいる。なお、プロフィール１０３は、これ以外にもより多くの情報を含む場合がある。これらの表示は、制御部１０が、ＲＯＭ８０に保存された図示されない処理用プログラムを実行することによって実現する。プロフィール１０３の各情報は、予め、ユーザーによってキー操作部６０から情報表示端末１へ入力され、記憶部７０へ保存されている。本実施形態では、プロフィール１０３に含まれる誕生日情報１０７に基づいて、記念日時刻１１４が生成される。誕生日情報１０７は、このように、ユーザーによって予め記憶部７０へ保存されている。
【００２８】
次に、図４は、本実施形態の情報表示端末１において、表示部２０に時計表示設定１０８が行われた状態を示している。本実施形態において、時計表示設定１０８は、時計表示方法や、表示サイズ、文字色、ワールドクロック設定等の時計表示設定内容１０９に加えて、記念日時刻通知設定１１０の設定を行うことができる。ユーザーは、予め記念日時刻通知設定１１０を「ＯＮ」あるいは「ＯＦＦ」に設定しておく。記念日時刻通知設定１１０が「ＯＮ」に設定されている場合、記念日時刻判定手段８３によって一致判定が行われ、現在時刻情報１０２と記念日時刻１１４とが一致すると記念日時刻表示１１５が行われる。一方、記念日時刻通知設定１１０が「ＯＦＦ」に設定されている場合、記念日時刻判定手段８３は一致判定を行わず、現在時刻情報１０２と記念日時刻１１４とが一致しても、特に表示は変化することはない。ユーザーは、キー操作部６０から情報表示端末１へ記念日時刻通知設定１１０を入力する。制御部１０は、記念日時刻通知設定の「ＯＮ」、「ＯＦＦ」情報を記憶部７０へ保存する。
【００２９】
次に、図５は、日付時刻変換手段８２が行う日付時刻変換処理を示している。日付時刻変換手段８２は、記念日時刻通知設定１１０が「ＯＮ」に設定されると、日付時刻変換処理を行う。日付時刻変換手段８２は、定められた変換ルールに基づいて、記憶部７０に保存されている誕生日情報１０７から記念日時刻１１４へ変換を行う。以下、本実施形態における、日付時刻変換処理の変換ルールを説明する。図５を参照すると、年月日情報１１１は、記憶部７０へ記録された誕生日情報１０７の記録形式を示している。誕生日情報１０７の年月日情報１１１は、「ＹＹＹＹ−ＭＭ−ＤＤ」の形式で記憶部７０へ保存されている。「ＹＹＹＹ」は誕生日の年（西暦）情報を、「ＭＭ」は誕生日の月情報を、「ＤＤ」は誕生日の日情報を示している。日付時刻変換手段８２は、記憶部７０から誕生日情報１０７の年月日情報１１１を取得すると、誕生日情報１０７から月日情報１１２を抽出する。つまり、「ＹＹＹＹ−ＭＭ−ＤＤ」から「ＭＭ−ＤＤ」の部分を抽出する。次に、日付時刻変換手段８２は、月日情報１１２を時刻情報１１３へ変換を行う。具体的には、月情報である「ＭＭ」の数字を、「ｈｈ」で表される時情報に代入して置き換える。また、日情報である「ＤＤ」の数字を、「ｍｍ」で表される分情報に代入して置き換える。このようにして生成された時刻情報１１３「ｈｈ：ｍｍ」で表された時刻が記念日時刻１１４となる。日付時刻変換手段８２は、このような変換ルールに基づく日付時刻変換処理をおこなって、誕生日情報１０７の年月日情報１１１である「ＹＹＹＹ−ＭＭ−ＤＤ」から、記念日時刻１１４である時刻情報１１３「ｈｈ：ｍｍ」を生成する。
【００３０】
次に、図６は、日付時刻変換手段８２の日付時刻変換処理を具体的に示している。記憶部７０は、プロフィール１０３にユーザーの誕生日情報１０７として、年月日情報１１１を「１９８０／０７／１７」と保存しているとする。日付時刻変換手段８２は、上述した変換ルールに基づいて、誕生日情報１０７の年月日情報１１１から月日情報１１２を抽出する。すなわち、日付時刻変換手段８２は、「１９８０／０７／１７」から「０７／１７」を抽出する。次に、日付時刻変換手段８２は、月日情報１１２を時刻情報１１３へ変換する。すなわち、日付時刻変換手段８２は、「０７／１７」を「０７：１７」へ変換する。このようにして、日付時刻変換手段８２は、誕生日情報１０７である「１９８０／０７／１７」から記念日時刻１１４「０７：１７（７時１７分）」を生成する。日付時刻変換手段８２は、同様の処理を行うことで、異なる誕生日情報１０７の年月日情報１１１から異なる記念日時刻１１４を生成することが可能となる。例えば、誕生日情報１０７の年月日情報１１１が「１９７５／１１／２８」であれば、記念日時刻１１４「１１：２８」へ変換されることになる。誕生日情報１０７は、月情報「ＭＭ」が「０１〜１２」の範囲で変化し、日情報「ＤＤ」が「０１〜３１」の範囲で変化する。一方、時情報「ｈｈ」は、「００〜１２（あるいは００〜２３）」で変化可能であり、分情報「ｍｍ」は、「００〜５９」で変化可能である。そのため、日付時刻変換手段８２は、全ての誕生日情報１０７を、対応する記念日時刻１１４へ変換することができる。また、表示部２０における時刻表示が、１２時間表示の場合であるか２４時間表示であるかを問わずに対応することができる。日付時刻変換手段８２は、記念日時刻１１４を記憶部７０へ保存する。
なお、誕生日情報１０７は、「ＹＹＹＹ−ＭＭ−ＤＤ」の形式で保存されているが、誕生日情報１０７の保存形式はこれに限定しない。誕生日情報１０７の月日情報１１２から時刻情報１１３へ変換を行うことができれば、特に形式を特定しない。
【００３１】
次に、図７は、記念日時刻判定手段８３の一致判定処理と、記念日時刻表示手段８４の記念日時刻表示処理とを示している。なお、前述のとおり、日付時刻変換手段８２によって、記念日時刻１１４「０７：１７」が記憶部７０へ保存されているものとする。（ａ）は、表示部２０に表示された待機画面１００を示している。待機画面１００には、現在日付情報１０１と現在時刻情報１０２が表示されている。記念日時刻判定手段８３は、時刻取得表示手段８１から現在時刻情報１０２を取得し、記憶部７０から記念日時刻１１４を取得する。記念日時刻判定手段８３は、現在時刻情報１０２と記念日時刻１１４とが一致するかの一致判定を行う。しかし、現在の時刻である現在時刻情報１０２は、「０７：１６」であるため、記念日時刻１１４である「０７：１７」とは一致しない。そのため、記念日時刻判定手段８３は、現在時刻情報１０２と記念日時刻１１４は一致しないと判定する。この場合、記念日時刻表示手段８４は、特に処理は行わない。そのため、時刻取得表示手段８１は、表示部２０へ、通常の時刻表示である現在時刻情報１０２を表示する。
次に（ｂ）は、現在の時刻が「０７：１７」となった時に、表示部２０に表示された待機顔面１００を示している。記念日時刻判定手段８３は、時刻取得表示手段８１から現在時刻情報１０２を取得し、記憶部７０から記念日時刻１１４を取得する。記念日時刻判定手段８３は、現在時刻情報１０２と記念日時刻１１４とが一致するかの一致判定を行う。この時刻において、現在の時刻である現在時刻情報１０２の「０７：１７」と記念日時刻１１４「０７：１７」が一致している。そのため、記念日時刻判定手段８３は、現在時刻情報１０２と記念日時刻１１４とが一致すると判定する。記念日時刻判定手段８３は、記念日時刻表示手段８４へ、現在時刻情報１０２と記念日時刻１１４とが一致した旨の一致通知を出力する。記念日時刻表示手段８４は、記念日時刻判定手段８３から一致通知を入力すると、表示部２０へ記念日時刻表示１１５を行う。
（ｂ）の待機画面１００を参照すると、記念日時刻表示１１５が行われて時刻表示が反転表示されている。ユーザーは、このような記念日時刻表示１１５によって、表示部２０の時刻表示が、自分の誕生日と一致していることを確認することができる。ユーザーは、本人にとって最もなじみ有る数字の一つである誕生日と表示の一致する時刻を情報表示端末から通知されることで、驚きや嬉しさ、喜びを得ることができる。なお、記念日時刻表示１１５は、（ｂ）に示すような反転表示に限らない。記念日時刻表示１１５は、ユーザーが驚きや嬉しさ、喜びをより得られるように、デコレーションや、アニメーションや、ポップアップ等に代表される視覚的効果を有する手段、あるいは音響等を発するなどする聴覚的効果を有する手段を用いて行っても良い。さらに、情報表示端末１が、バイブレーション機能等を有する場合には、その振動効果を用いて行っても良い。また、このような方法を組み合わせて行うことも可能である。
【００３２】
このように、まず、日付時刻変換手段８２が、ユーザーが記憶部７０に保存したユーザーの誕生日情報１０７から１１４を生成する。次に、記念日時刻判定手段８３は、時刻取得表示手段８１から現在時刻情報１０２を取得して記念日時刻１１４と一致するかを判定する。さらに、記念日時刻表示手段８４は、現在時刻情報１０２と記念日時刻１１４が一致する場合には、表示部２０へ記念日時刻表示１１５を行う。これによって、ユーザーは、情報表示端末１から通知される記念日時刻表示１１５を確認することができ、驚きや嬉しさ、喜びを得ることができる。
【００３３】
以上が、本実施形態における情報表示端末１の構成の説明である。
【００３４】
［動作方法の説明］
次に、図８及び図９を用いて、本実施形態における情報表示端末１の動作方法について説明を行う。まず、図８は、情報表示端末１が、記念日時刻表示１１５を行うための一致判定処理を開始するまでの動作方法を示している。
【００３５】
（ステップＳ８０１）
ユーザーは、記念日時刻通知の設定を行う。本実施形態において、記念日時刻通知の設定は、図４にて説明を行ったように、記念日時刻通知設定１１０によって行われる。制御部１０は、記念日時刻通知設定１１０を記憶部７０へ保存する。ユーザーが、記念日時刻通知設定１１０を「ＯＮ」にした場合は、ステップＳ８０２へ進む。一方、ユーザーが、記念日時刻通知設定１１０を「ＯＦＦ」にした場合は、ステップＳ８０５へ進む。
【００３６】
（ステップＳ８０２）
日付時刻変換手段８２は、記憶部７０に誕生日情報１０７が保存されているかを検索する。ユーザーが、記念日時刻通知設定１１０を「ＯＮ」に設定すると、制御部１０は、日付時刻変換手段８２を起動する。日付時刻変換手段８２が、記憶部７０を検索して、誕生日情報１０７が保存されている場合には、ステップＳ８０３へ進む。一方、誕生日情報１０７が保存されていない場合には、本動作は終了となる。この場合、制御部１０は、記念日時刻判定手段８３を起動せず、一致判定動作は開始されない。なお、日付時刻変換手段８２は、ユーザーへ誕生日情報１０７を登録するように促すメッセージを表示部２０へ表示しても良い。
【００３７】
（ステップＳ８０３）
日付時刻変換手段８２は、日付時刻変換処理を行って、誕生日情報１０７から記念日時刻１１４を生成する。日付時刻変換手段８２は、記念日時刻１１４を記憶部７０へ保存する。
【００３８】
（ステップＳ８０４）
記念日時刻判定手段８３は、一致判定処理を開始する。制御部１０は、日付時刻変換手段８２によって記念日時刻が生成されると、記念日時刻判定手段８３を起動して、現在時刻情報１０２と記念日時刻が一致するかの一致判定を開始する。
【００３９】
（ステップＳ８０５）
ユーザーが、記念日時刻通知設定１１０を「ＯＦＦ」に設定すると、日付時刻変換手段８２は、記憶部７０に記念日時刻１１４が保存されているかを検索する。記念日時刻１１４が保存されている場合には、ステップＳ８０６へ進む。一方、記念日時刻１１４が、保存されていない場合には、ステップＳ８０７へ進む。
【００４０】
（ステップＳ８０６）
日付時刻変換手段８２は、記憶部７０に記念日時刻１１４が保存されている場合には、記念日時刻１１４を記憶部７０から消去する。
【００４１】
（ステップＳ８０７）
日付時刻変換手段８２は、記念日時刻判定手段８３が起動しているかを確認する。記念日時刻判定手段８３が起動している場合には、ステップＳ８０８へ進む。一方、記念日時刻判定手段８３が起動していない場合には、本動作は終了となる。
【００４２】
（ステップＳ８０８）
記念日時刻判定手段８３が起動している場合、制御部１０は、記念日時刻判定手段８３を停止する。以上で、本動作は終了となる。
【００４３】
以上が、情報表示端末１が、記念日時刻表示を行うための一致判定処理を開始するまでの動作方法の説明である。
【００４４】
次に、図９は、情報表示端末１が、一致判定処理を開始後、記念日時刻表示１１５を行うまでの動作方法を示している。
【００４５】
（ステップＳ９０１）
記念日時刻判定手段８３は、ＲＴＣ部５０から割り込みが発生しないかを監視している。ＲＴＣ割り込みが発生した場合、ステップＳ９０２へ進む。ＲＴＣ割込みが発生しない場合、制御部１０は、ＲＴＣ割込みが発生するまで監視を継続する。
【００４６】
（ステップＳ９０２）
記念日時刻判定手段８３は、ＲＴＣ割込みを検知すると、一致判定を行うために、時刻取得手段８１から現在時刻情報１０２を取得する。
【００４７】
（ステップＳ９０３）
記念日時刻判定手段８３は、記憶部７０に保存された記念日時刻１１４を取得する。
【００４８】
（ステップＳ９０４）
記念日時刻判定手段８３は、現在時刻情報１０２と記念日時刻１１４とを比較して、現在時刻情報１０２と記念日時刻１１４とが一致するかの一致判定を行う。現在時刻情報１０２と記念日時刻１１４とが一致しない場合には、ステップＳ９０５へ進む。現在時刻情報１０２と記念日時刻１１４とが一致する場合には、ステップＳ９０６へ進む。
【００４９】
（ステップＳ９０５）
記念日時刻判定手段８３は、現在時刻情報１０２と記念日時刻１１４とが一致しないと判定した場合には、特に処理を行わない。この場合、記念日時刻表示１１５は行われず、時刻取得表示手段８１は、表示部２０へ、通常の時刻表示を行う。
【００５０】
（ステップＳ９０６）
記念日時刻判定手段８３は、現在時刻情報１０２と記念日時刻１１４とが一致すると判定した場合、記念日時刻表示手段８４へ一致通知を出力する。記念日時刻表示手段８４は、一致通知を受けて、表示部２０へ記念日時刻表示１１５を行う。
【００５１】
以上が、一致判定処理を開始後、記念日時刻表示１１５を行うまでの動作方法の説明である。情報表示端末１は、一致判定処理を開始後、このような動作を繰り返すことで、現在事項情報１０２と記念日時刻１１４が一致する度に、記念日時刻表示１１５を行う。
【００５２】
以上が、本実施形態における動作方法の説明である。日付時刻変換手段８２は、ユーザーによって記念日時刻通知設定１１０が「ＯＮ」にされると、誕生日情報１０７から記念日時刻１１４を生成する。記念日時刻判定手段８３は、ＲＴＣ割込みによって現在時刻情報１０２の更新が行われると、現在時刻情報１０２と記念日時刻１１４とを取得して、比較を行い一致しているか否かを判定する。記念日時刻表示手段８４は、記念日時刻判定手段８３によって、現在時刻情報１０２と記念日時刻とが一致していると判定された場合には、表示部２０へ記念日時刻表示１１５を行う。ユーザーは、情報表示端末から通知される記念日時刻表示１１５を確認することで、驚きや嬉しさ、喜びを得ることができる。
【００５３】
ここまで、本実施形態の説明を行ってきた。なお、本実施形態において、記念日時刻１１４は、ユーザーが予め登録した誕生日情報１０７に基づいて生成している。しかし、記念日時刻１１４は、ユーザーの誕生日情報１０７に基づいて生成する方法に限定しない。記念日時刻１１４は、情報表示端末１に登録された、他の人間に関する登録情報に基づいて生成してもよい。例えば、ユーザーの家族や、あるいは大事な人間の誕生日情報１０７を元にして記念日時刻１１４を生成することも可能である。この場合、ユーザーは、予め登録されているどの誕生日情報１０７を用いて記念日時刻表示１１５を行うかを指定しておく方法としてもよい。これによって、情報表示端末１は、ユーザーにとって大事な人間の記念日時刻１１４をユーザーに通知することが可能となる。また、記念日時刻１１４は、誕生日情報１０７に限ることなく、予め情報表示端末１へ保存されている他の登録情報を用いて生成しても良い。例えば、その他の記念日や、あるいは、所有している自動車のナンバー、ユーザーの住所や部屋の番号等の、ユーザにとって日付情報に限らない特別な数字を用いて記念日時刻１１４を生成することも可能である。さらに、数字情報のみから生成するのではなく、文字情報から記念日時刻を生成することも考えられる。例えば、ユーザーの氏名から、「一郎」を「１６」へ、あるいは「ひとみ」を「１１０３」といったような変更ルールも考えることができる。つまり、ユーザーに関係する数字に変換可能な登録情報であれば、記念日時刻１１４を生成することが可能である。この場合、日付時刻変換手段８２は、対応する変換ルールを予め登録することで、記念日時刻１１４の生成することができる。また、記念日時刻１１４は、一つに限らず、複数の登録情報に基づいて複数の記念日時刻１１４を生成し、複数の記念日時刻１１４によって記念日時刻表示１１５を行ってもよい。
このように、予め情報表示端末１へ登録された様々な登録情報に基づいて、記念日時刻１１４を生成することによって、情報表示端末１から記念日時刻表示１１５を通知されたユーザーに、驚きや嬉しさ、喜びを得ることができるのである。
なお、本実施形態における情報表示端末１は、携帯電話端末やＰＨＳ、ＰＤＡ等の、ユーザーに関する情報を登録可能とし、また、その表示部２０において時刻表示が可能な端末を広く含む。
【００５４】
以上、実施形態を参照して本発明を説明してきたが、本発明は上記実施形態に限定されるものではない。本発明の構成や詳細には、本発明の範囲内で当業者が理解し得る様々な変更を行うことができる。
【図面の簡単な説明】
【００５５】
【図１】情報表示端末１の構成を示す図である。
【図２】情報表示端末１の表示部２０に待機画面１００が表示された状態を示す図である。
【図３】情報表示端末１の表示部２０に所有者情報１０３が表示された状態を示す図である。
【図４】情報表示端末１の表示部２０に時計表示設定１０８が行われた状態を示す図である。
【図５】日付時刻変換手段８２が行う日付時刻変換処理を示す図である。
【図６】日付時刻変換手段８２の日付時刻変換処理を具体的に示す図である。
【図７】記念日時刻判定手段８３の一致判定処理と、記念日時刻表示手段８４の表示処理とを示す図である。
【図８】一致判定処理を開始するまでの動作フローである。
【図９】一致判定処理を開始後、記念日時刻表示１１５を行うまでの動作フローである。
【符号の説明】
【００５６】
１  情報表示端末
１０  制御部
２０  表示部
３０  無線部
４０  音声入出力部
５０  ＲＴＣ部
６０  キー操作部
７０  記憶部
８０  ＲＯＭ
８１  時刻取得表示手段
８２  日付時刻変換手段
８３  記念日時刻判定手段
８４  記念日時刻表示手段
９０  ＲＡＭ
１００  待機画面
１０１  現在日付情報
１０２  現在時刻情報
１０３  所有者情報
１０４  氏名情報
１０５  電話番号情報
１０６  メールアドレス情報
１０７  誕生日情報
１０８  時計表示設定
１０９  時計表示設定内容
１１０  記念日時刻通知設定
１１１  年月日情報
１１２  月日情報
１１３  時刻情報
１１４  記念日時刻
１１５  記念日時刻表示
【図１】
2009276312.tif 000003
【図２】
2009276312.tif 000004
【図３】
2009276312.tif 000005
【図４】
2009276312.tif 000006
【図５】
2009276312.tif 000007
【図６】
2009276312.tif 000008
【図７】
2009276312.tif 000009
【図８】
2009276312.tif 000010
【図９】
2009276312.tif 000011